(57)【特許請求の範囲】
【請求項１】
電気回路を収納する筐体の箱部と前記筐体の蓋部との間にガスケットを挿入してネジ止めし、これら筐体の箱部および蓋部を密着接続する部材締結構造において、
前記ガスケットに前記ネジ用のネジ穴を設けるとともに、このネジ穴に前記ネジの脱落防止構造を一体化させ、
前記蓋部の縁部に前記箱部側を向いた第１のつば部が形成され、前記ネジ穴は、前記第１のつば部の内側に形成されており、
前記箱部の縁部の前記第１のつば部によって外側から覆われる位置に、前記蓋部側を向いた第２のつば部が形成され、その内側に前記ネジに螺号するネジスタッドが固定され、さらにその内側に前記蓋部側を向いた第３のつば部が形成されており、
前記ガスケットは、柔軟性のある部材で、前記蓋部の第１のつば部の内側にフィットする大きさに形成され、前記箱部の第３のつば部と前記ネジスタッドとの間の空間にフィットする形状の突起部が形成され、前記箱部と前記蓋部との接続時に前記突起部の内側の前記箱部側の面が前記第３のつば部の端面と接触することを特徴とする部材締結構造。
【請求項２】
前記脱落防止構造は、
前記ネジの軸部のネジ先部分を首下部分に比較して太く形成し、前記ガスケットのネジ穴を前記ネジのネジ先部分に対応する径で形成した前記ネジの抜け止め構造であることを特徴とする請求項１に記載の部材締結構造。
【請求項３】
前記ガスケットの前記ネジ穴は、内側面に前記ネジのネジ溝と螺合するネジ溝を形成したことを特徴とする請求項２に記載の部材締結構造。
【請求項４】
前記ガスケットは、前記ネジ穴が複数設けられたことを特徴とする請求項１〜３のいずれかに記載の部材締結構造。
【発明の詳細な説明】
【技術分野】
【０００１】
本発明は、現場設置型の伝送器等に用いられる部材締結構造に関し、詳しくは、第１部材と第２部材との間にガスケットを挿入してネジ止めし、これら第１および第２の部材を密着接続する部材締結構造に関する。
【背景技術】
【０００２】
図５は従来の部材締結構造の一例として、現場設置型の伝送器などに用いられる防水性を有する筐体の断面図を示したものである。図５の（ａ）は部品構成図、（ｂ）は組み立て後の図であり、電気回路を収納する箱部１００、この箱部１００を覆う蓋部２００、箱部１００と蓋部２００の間に挿入されるリング状のガスケット３００、蓋部２００と箱部１００を締結するためのネジ４００とワッシャー５００、ネジ４００の脱落防止用のＯリング（またはスペーサーカラー）６００から構成されている。１１０は箱部１００と蓋部２００とのネジ４００によるネジ締結部である。
【０００３】
図６はネジ締結部１１０の詳細構成図であり、図６の（ａ）は部品構成図、（ｂ）は組み立て後の図である。
【０００４】
図６の（ａ）において、蓋部２００には箱部１００側を向いたつば部２００ｂ，２００ｃが設けられている。つば部２００ｂは蓋部２００の縁部に設けられており、つば部２００ｃはつば部２００ｂの内側に設けられている。このつば部２００ｂ，２００ｃの間にネジ４００用のネジ穴２００ａが形成されている。
【０００５】
箱部１００は上部の開口部分が水平方向外側に広がっており、その広がった部分にネジ穴１００ｃとスタッド１００ａが設けられている。また、広がった部分の縁部に蓋部２００側を向いたつば部１００ｂが設けられている。
【０００６】
箱部１００に蓋部２００を重ねると、つば部１００ｂがつば部２００ｂによって外側から覆われ、また、スタッド１００ａとつば部２００ｃとがちょうど接触するようにそれぞれ形成位置が調整されている。また、ガスケット３００は、つば部２００ｃの内側にフィットするとともに、つば部２００ｃよりも若干上下方向に厚くなるように形成されている。
【０００７】
蓋部２００のネジ穴２００ａと、箱部１００のスタッド１００ａ、ネジ穴１００ｃは、箱部１００と蓋部２００を重ねた状態で一直線上になるように配置されている。Ｏリング６００はスタッド１００ａとネジ穴２００ａの間に挿入される。
【０００８】
図６の（ｂ）において、箱部１００と蓋部２００とを重ね、ワッシャー５００を介してこれらをネジ４００で締結する。箱部１００と蓋部２００とが締結されると、ガスケット３００は箱部１００と蓋部２００との間にかかる圧力によって圧縮する。これにより箱部１００と蓋部２００とが密着し、箱部１００の内部に水が浸入するのを防ぐ防水機能が得られる。箱部１００にはこのようなネジ締結部１１０が複数設けられている。
【０００９】
下記特許文献１には、筐体との間にガスケットを挿入して取り付けられるプレート部品とを有する電子機器の筐体構造が示されている。
【先行技術文献】
【特許文献】
【００１０】
【特許文献１】特開２００２−１５８４５３号公報
【発明の概要】
【発明が解決しようとする課題】
【００１１】
しかしながら、ネジ４００の脱落を防止するために、Ｏリング６００（またはスペーサーカラー）など独立したネジ脱落防止用部品を使用しているため、ネジ４００の個数だけ部品点数が多くなり、筐体の組み立てや部品の交換にかかる作業が煩雑となってしまう。
【００１２】
本発明は、従来通りの防水機能を維持するとともに、部品点数を削減して作業性を向上した部材締結構造を実現することを目的とする。
【課題を解決するための手段】
【００１３】
このような課題を達成するために、請求項１に記載の発明は、
電気回路を収納する筐体の箱部と前記筐体の蓋部との間にガスケットを挿入してネジ止めし、これら筐体の箱部および蓋部を密着接続する部材締結構造において、
前記ガスケットに前記ネジ用のネジ穴を設けるとともに、このネジ穴に前記ネジの脱落防止構造を一体化させ、
前記蓋部の縁部に前記箱部側を向いた第１のつば部が形成され、前記ネジ穴は、前記第１のつば部の内側に形成されており、
前記箱部の縁部の前記第１のつば部によって外側から覆われる位置に、前記蓋部側を向いた第２のつば部が形成され、その内側に前記ネジに螺号するネジスタッドが固定され、さらにその内側に前記蓋部側を向いた第３のつば部が形成されており、
前記ガスケットは、柔軟性のある部材で、前記蓋部の第１のつば部の内側にフィットする大きさに形成され、前記箱部の第３のつば部と前記ネジスタッドとの間の空間にフィットする形状の突起部が形成され、前記箱部と前記蓋部との接続時に前記突起部の内側の前記箱部側の面が前記第３のつば部の端面と接触することを特徴とする。
【００１４】
請求項２に記載の発明は、
請求項１に記載の部材締結構造において、
前記脱落防止構造は、
前記ネジの軸部のネジ先部分を首下部分に比較して太く形成し、前記ガスケットのネジ穴を前記ネジのネジ先部分に対応する径で形成した前記ネジの抜け止め構造であることを特徴とする。
【００１５】
請求項３に記載の発明は、
請求項２に記載の部材締結構造において、
前記ガスケットの前記ネジ穴は、内側面に前記ネジのネジ溝と螺合するネジ溝を形成したことを特徴とする。
【００１６】
請求項４に記載の発明は、
請求項１〜３のいずれかに記載の部材締結構造において、
前記ガスケットは、前記ネジ穴が複数設けられたことを特徴とする。
【発明の効果】
【００１９】
請求項１の発明によれば、
ガスケットにネジ用のネジ穴を設けるとともに、このネジ穴にネジの脱落防止構造を一体化させたことにより、従来通りの防水機能を維持するとともに、部品点数を削減して作業性を向上した部材締結構造を実現できる。
【００２０】
請求項２および請求項３の発明によれば、
脱落防止構造として、ネジとネジ穴の形状で抜け止め構造を構成したことにより、第１部材と第２部材を締結させる時だけでなく、分離させる時においても作業性が向上する。
【００２１】
請求項４の発明によれば、
ガスケットはネジ穴が複数設けられているため、ガスケットにネジ脱落防止構造を一体化させたことによる部品点数削減の効果をより大きく享受できる。
【図面の簡単な説明】
【００２４】
【図１】本発明の一実施例を示す構成図である。
【図２】ガスケット３の構造を示す図である。
【図３】図１に示すネジ締結部１０の詳細構成図である。
【図４】ネジの脱落防止構造の説明図である。
【図５】従来の部材締結構造の一例を示す構成図である。
【図６】図５に示すネジ締結部１１０の詳細図である。
【発明を実施するための形態】
【実施例】
【００２５】
図１は本発明の一実施例として、現場設置型の伝送器などに用いられる防水性を有する筐体の断面図を示したものである。図１の（ａ）は部品構成図、（ｂ）は組み立て後の図であり、電気回路を収納するステンレス製の箱部１、この箱部１を覆うステンレス製の蓋部２、箱部１と蓋部２の間に挿入されるリング状のガスケット３、蓋部２と箱部１を締結するためのネジ４とワッシャー５から構成されている。１０は箱部１と蓋部２とのネジ締結部である。
【００２６】
箱部１は上側が開いた直方体である。箱部１の上端部分は後述の支持部材１’によって外側に広がっており、この広がった部分にネジ締結部が設けられる。蓋部２は箱部１の外側に広がった部分の大きさに合わせて矩形状に形成されている。
【００２７】
図２はガスケット３の構造を示す図であり、図２の（ａ）は上面図、（ｂ）は側面図である。
ガスケット３は柔軟性のある樹脂製で、矩形状に形成されている。ガスケット３の４隅にはネジ４に螺合する（かみ合う）ネジ穴３ａが形成されている。
【００２８】
図３はネジ締結部１０の詳細図であり、図３の（ａ）は部品構成図、（ｂ）は組み立て後の図である。
【００２９】
図３の（ａ）において、蓋部２の縁部には箱部１側を向いたつば部２ｂが形成されている。つば部２ｂの内側にはネジ４に螺合するネジ穴２ａが形成されている。
【００３０】
箱部１の上端付近には水平方向に段１ｂが作られており、この段１ｂの先の部分は蓋部２側を向いたつば部１ｃを形成している。段１ｂの下面にはステンレス製で断面Ｌ字状の支持部材１’が固定して取り付られ、この支持部材１’のＬ字に折曲がった先が蓋部２側を向いたつば部１ｄを形成している。支持部材１’上にネジ４に螺合する雌ネジスタッド１ａが固定されている。支持部材１’には、箱部１の外部に通じる孔１ａ’が形成されている。
【００３１】
蓋部２のネジ穴２ａと、箱部１の雌ネジスタッド１ａ、ガスケット３のネジ穴３ａは、箱部１と蓋部２とガスケット３を重ねた状態で一直線上になるように配置されている。
【００３２】
ガスケット３の外形は蓋部２のつば部２ｂの内側にフィットする大きさに形成されている。ガスケット３の下面の中央付近には突起部３ｂが形成されている。この突起部３ｂは、ガスケット３を箱部１に重ねたときに、つば部１ｃとスタンド１ａの間の空間にちょうどフィットするように形成されている。
【００３３】
図３の（ｂ）において、箱部１にガスケット３と蓋部２を重ねると、つば部１ｂがつば部２ｂによって外側から覆われた状態となる。また、つば部１ｃの端面がガスケット３の下面３ｃに接触する。さらに、雌ネジスタッド１ａとつば部１ｃとの間の空間がガスケット３の突起部３ｂによって埋められる。
【００３４】
蓋部２と箱部１とを締結する際は、ガスケット３を間に挟んで蓋部２と箱部１とを重ね、ネジ４をワッシャー５を介して蓋部２のネジ穴２ａから挿入し、ガスケット３のネジ穴３ａに回し入れ、さらにその後雌ネジスタッド１ａに回し入れる。
【００３５】
箱部１と蓋部２とが締結されると、ガスケット３は、箱部１と蓋部２に挟み込まれることにより圧力がかかり、つば部１ｃとガスケット３との接触面は密着してシール面となる。これにより箱部１の内部に水が浸入するのを防ぐ防水構造になる。
【００３６】
図４はネジの脱落防止構造の説明図である。図４の（ａ）はネジ４の構造を示す図であり、４１はネジ４の軸部、４１ａは軸部４１の首下部分、４１ｂは軸部４１のネジ先部分である。ネジ先部分４１ｂは首下部分４１ａよりも若干太く形成され、ネジ溝が形成されている。
【００３７】
図４の（ｂ）はネジ４とガスケット３を示す図であり、ネジ４のネジ先部分４１ｂがガスケット３のネジ穴３ａを通っている様子を示したものである。ネジ穴３ａはネジ先部分４１ｂの太さに合わせて穴の径が設定されている。また、ネジ穴３ａのネジ溝は、ネジ先部４１ｂのネジ溝にかみ合う（螺合する）ように形成されており、ネジ先部分４１ｂをネジ穴３ａを通す際にはネジ溝に沿ってネジ４を回転させる。実質的には、ガスケット３は柔軟性のある素材でできているため、ネジ４は回し入れずにネジ穴３ａに押し込むだけで、ネジ穴３ａに入れ込むことができる。
【００３８】
図４の（ｃ）はネジ４とガスケット３を示す図であり、ネジ４のネジ先部分４１ｂがガスケット３のネジ穴３ａを通過した後の様子を示したものである。ネジ４の首下部分４１ａはネジ先部分４１ｂよりも細いため、ネジ４と雌ネジスタッド１ａとが固定状態にない場合は、ネジ４はネジ穴３ａ内を上下方向に自由に動くことができる。そのような状態においては、蓋部２は箱部１から取り外しがきき、自由に開閉できる。しかし、ネジ４は、図中上方側に抜けようとしても、ネジ先部分４１ｂがネジ穴３ａにひっかかり、自然に抜けることはない。そのため、ネジ４が雌ネジスタッド１ａから緩んでしまった場合でも、ネジ４が蓋部２から脱落することはない。ガスケット３にこのようなネジの抜け止め構造を一体化させることにより、ネジ４の脱落を防止する。
【００３９】
なお、箱部１には複数のネジ締結部１０が設けられており、それぞれのネジ締結部１０において図４に示すようなネジの脱落防止構造が設けられている。
【００４０】
本実施例は以上のように構成され、
箱部１と蓋部２との間にガスケット３を挿入してネジ４で止め、箱部１と蓋部２とを密着接続する部材締結構造において、ガスケット３にネジ４用のネジ穴３ａを設けるとともに、このネジ穴３ａにネジ４の脱落防止構造を一体化させたことにより、従来通りの防水機能を維持するとともに、部品点数を削減して作業性を向上した部材締結構造を実現できる。
ガスケット３がネジ４の脱落防止構造を有しているため、ネジ４が緩んでも、ネジ４が脱落しない。また、ガスケット３にネジ４の脱落防止構造を一体化させたため、個々のネジについて独立したネジ脱落防止用部品を用意する必要がなく、部品点数を集約できる。
【００４１】
また、脱落防止構造として、ネジ４とネジ穴３ａの形状で抜け止め構造を構成したことにより、箱部１と蓋部２を締結させる時だけでなく、分離させる時においても作業性が向上する。
【００４２】
また、ガスケット３が柔軟性のある素材で形成されているため、ガスケット３のネジ穴３ａにネジ４を抜き差しする場合には、ネジ４を回さなくとも、実質的にネジ４を押し込んだり引き出したりするだけで済み、作業性が一層向上する。
【００４３】
また、ガスケット３はネジ穴３ａが複数設けられているため、ガスケット３にネジ４の脱落防止構造を一体化させたことによる部品点数削減の効果をより大きく享受できる。
【００４４】
なお、本実施例では、部材締結構造を現場設置型の伝送器などに用いられる防水性を有する筐体に適用した例について説明したが、本発明は、屋内・屋外を問わず、防水性が必要な環境で使用される全ての筐体に好適である。筐体の防水ガスケットと蓋部と箱部を締結するためのネジを有する構造であれば、容易に水平展開が可能である。
【００４５】
また、本実施例では、ネジ穴３ａにネジ溝を設けたが、ネジ溝を設けなくてもよい。ネジ溝を設けない場合には、ネジ穴３ａへのネジ４の抜き差しは、常に、ネジ４を押し込んだり、引き出したりして行う。
【００４６】
また、本実施例では箱部１、蓋部２、支持部材１’をステンレス製としたが、他の種類の金属製であってもよい。また、金属に限らず、プラスチックなど他の素材であってもよい。
【００４７】
なお、本実施例における箱部１は請求範囲における第１部材に相当し、蓋部２は第２部材に相当する。
【符号の説明】
【００４８】
１      箱部
２      蓋部
３      ガスケット
３ａ    ネジ穴
４      ネジ
【図１】
0005459602.tif 000002
【図２】
0005459602.tif 000003
【図３】
0005459602.tif 000004
【図４】
0005459602.tif 000005
【図５】
0005459602.tif 000006
【図６】
0005459602.tif 000007